(57)【要約】      （修正有）【課題】包装用箱本体とは別の部材を必要とせず、生産及び組み立て作業が容易でありながら、変形が生じにくい包装用箱を提供する。【解決手段】多角形の基板と側板部とを備える包装用箱の側板部は、第一内側板２３、第一外側板２１、第一額縁板２２及び第一内側板の側辺部から連続する延出板２７を有し、第一内側板と第一外側板とが第一額縁板を介して対向し基板１２に対して起立するとともに第一空間部を形成する第一側板部１４と、第一側板部に隣接し、第二内側板４３、第二外側板４１及び第二額縁板４２を有し、第二内側板と第二外側板とが第二額縁板を介して対向し基板に対して起立するとともに第二空間部を形成する第二側板部１５とを備え、延出板を第二空間部に配置して第一側板部と第二側板部とを連結し、第二内側板の基板側に、第二外側板側へ張り出す第１突出板４５を形成し、延出板に、第１突出板を嵌める嵌合部３０を形成する。【選択図】図３
0003186895.tif 000002
【実用新案登録請求の範囲】
【請求項１】
多角形の基板と側板部とを備える包装用箱であって、
前記側板部は、第一内側板、第一外側板、第一額縁板及び前記第一内側板の側辺部から連続する延出板を有し、前記第一内側板と前記第一外側板とが前記第一額縁板を介して対向し前記基板に対して起立するとともに第一空間部を形成する第一側板部と、
前記第一側板部に隣接し、第二内側板、第二外側板及び第二額縁板を有し、前記第二内側板と前記第二外側板とが前記第二額縁板を介して対向し前記基板に対して起立するとともに第二空間部を形成する第二側板部とを備え、
前記延出板を前記第二空間部に配置して前記第一側板部と前記第二側板部とを連結し、
前記第二内側板の前記基板側に、前記第二外側板側へ張り出す第１突出板を形成し、
前記延出板に、前記第１突出板を嵌める嵌合部を形成することを特徴とする包装用箱。
【請求項２】
請求項１に記載の包装用箱であって、
前記延出板の基板側に、前記第二外側板側へ張り出すとともに前記第二外側板に当接又は近接する第２突出板を形成することを特徴とする包装用箱。
【請求項３】
請求項１又は請求項２に記載の包装用箱であって、
前記第二内側板の基板側に、前記基板の中央側へ張り出して前記基板に重なる重合板を形成し、
前記重合板又は前記重合板と前記第二内側板との境界から前記第二内側板に膨出する舌状切線によって前記第二内側板を切り込み、前記舌状切線の内側領域を前記第二外側板側へ張り出して、前記第１突出板を形成することを特徴とする包装用箱。
【請求項４】
請求項１から請求項３のいずれか一項に記載の包装用箱であって、
前記第１突出板が前記第二外側板に当接又は近接することを特徴とする包装用箱。
【請求項５】
請求項２から請求項４のいずれか一項に記載の包装用箱であって、
前記延出板の基板側に、前記基板の中央側へ張り出して前記基板に重なる重合板を形成し、
前記重合板又は前記重合板と前記延出板との境界から前記延出板に膨出する舌状切線によって前記延出板を切り込み、前記舌状切線の内側領域を前記第二外側板側へ張り出して、前記第２突出板を形成することを特徴とする包装用箱。
【請求項６】
請求項５に記載の包装用箱であって、
前記第２突出板を形成することにより前記延出板に形成される切り込み孔が、前記嵌合部を形成することを特徴とする包装用箱。
【考案の詳細な説明】
【技術分野】
【０００１】  本考案は、包装用箱に関し、より詳細には額縁板を介して内側板と外側板とを有する包装用箱に関する。
【背景技術】
【０００２】  従来、額縁板を介して内側板と外側板とを有する包装用箱４１１として、図１２に示す展開体５を組み立てて使用するものが一般的に知られている。この包装用箱４１１は、図１３（ａ）に示すように、四角形の基板１２の対向する前後左右辺に夫々外側板２１、４１と額縁板２２、４２と内側板２３、４３とからなる側板部１３を連設し、前記内側板２３、４３に夫々連続する重合板２４、４４を連設し、左右側の側板部１３の内側板２３の両側辺部に延出板２７を連設し、基板１２に対して側板部１３を起立し、延出板２７を前後側の側板部１３の内側板４３と外側板４１との間の空間部に配置し、重合板２４、４４を基板１２に重ね、前後側の重合板４４の端部を、左右側の重合板２４の端部で押圧することにより、図１３（ｂ）に示す箱形態を保持する包装用箱である。この種の包装用箱は、主に段ボールや板紙で生産され、包装用箱内の収納物を保護する目的の他、贈答品等の包装にあっては高級感を演出する目的にも用いられる。【０００３】  この種の包装用箱においては、図１４（ａ）に示すように、側板部１３は外側板２１、４１と内側板２３、４３との間に空間部を有するため、図１４（ｂ）に示すように、内側板２３、４３が収容物に押圧されるなどして外方へ広がり、隣接する側板部１３の隅部Ｐ同士が離間して変形する場合や、内側板２３、４３が折れ曲がって変形する場合がある。このため、空間部に段ボールシートを主体とする装填材を介在させ（特許文献１参照）、あるいは内側板２３、４３に切り込みを設けてその内側を押張舌片とし、空間部を密に突っ張り介装できるようにして変形を防止している（特許文献２参照）。【０００４】  しかし、装填材を介在させる場合にあっては装填作業が煩雑であり、包装用箱本体とは別の部材を用いるためにコスト面での負担が大きいという問題がある。また、内側板に切り込みを設けてその内側を押張舌片とし、空間部を突っ張り介装する場合にあっては、組み立て作業が簡単でコスト面での負担も生じないものの、効果が十分でない場合や、押張舌片の間隔が短い場合には、該間隔部が変形したり、外観体裁が良くないという問題がある。
【先行技術文献】
【特許文献】
【０００５】
【特許文献１】特開平１０−７２０２６号公報
【特許文献２】特開平４−３１１４４６号号公報
【考案の概要】
【考案が解決しようとする課題】
【０００６】  本考案は、上記問題を解決すべくなされたものである。本考案の目的は、包装用箱本体とは別の部材を必要とせず、生産及び組み立て作業が容易でありながら、変形が生じにくい包装用箱の提供である。
【課題を解決するための手段】
【０００７】  本考案の解決しようとする課題は以上の如くであり、次にこの課題を解決するための手段を説明する。【０００８】  第１の考案の包装用箱は、多角形の基板と側板部とを備える包装用箱であって、
前記側板部は、第一内側板、第一外側板、第一額縁板及び前記第一内側板の側辺部から連続する延出板を有し、前記第一内側板と前記第一外側板とが前記第一額縁板を介して対向し前記基板に対して起立するとともに第一空間部を形成する第一側板部と、
前記第一側板部に隣接し、第二内側板、第二外側板及び第二額縁板を有し、前記第二内側板と前記第二外側板とが前記第二額縁板を介して対向し前記基板に対して起立するとともに第二空間部を形成する第二側板部とを備え、
前記延出板を前記第二空間部に配置して前記第一側板部と前記第二側板部とを連結し、
前記第二内側板の前記基板側に、前記第二外側板側へ張り出す第１突出板を形成し、
前記延出板に、前記第１突出板を嵌める嵌合部を形成する。【０００９】  第２の考案の包装用箱は、第１の考案の包装用箱であって、
前記延出板の基板側に、前記第二外側板側へ張り出すとともに前記第二外側板に当接又は近接する第２突出板を形成する。【００１０】  第３の考案の包装用箱は、第１又は第２の考案の包装用箱であって、
前記第二内側板の基板側に、前記基板の中央側へ張り出して前記基板に重なる重合板を形成し、
前記重合板又は前記重合板と前記第二内側板との境界から前記第二内側板に膨出する舌状切線によって前記第二内側板を切り込み、前記舌状切線の内側領域を前記第二外側板側へ張り出して、前記第１突出板を形成する。【００１１】  第４の考案の包装用箱は、第１から第３のいずれかの考案の包装用箱であって、
前記第１突出板が前記第二外側板に当接又は近接する。【００１２】  第５の考案の包装用箱は、第２から第４のいずれかの考案の包装用箱であって、
前記延出板の基板側に、前記基板の中央側へ張り出して前記基板に重なる重合板を形成し、
前記重合板又は前記重合板と前記延出板との境界から前記延出板に膨出する舌状切線によって前記延出板を切り込み、前記舌状切線の内側領域を前記第二外側板側へ張り出して、前記第２突出板を形成する。【００１３】  第６の考案の包装用箱は、第５の考案の包装用箱であって、
前記第２突出板を形成することにより前記延出板に形成される切り込み孔が、前記嵌合部を形成する。
【考案の効果】
【００１４】  本考案の効果として、以下に示す効果を奏する。【００１５】  第１の考案によれば、第二内側板の基板側に、第二外側板側へ張り出す第１突出板を形  成し、延出板に、第１突出板を嵌める嵌合部を形成するため、第一内側板と第二内側板  とを延出板を介して嵌合部で固定して互いの位置移動を規制し、変形が生じにくい。ま  た、包装用箱本体とは別の部材を必要とせず、ブランクの構成が簡単であるため、生産  及び組み立て作業が容易である。【００１６】  第２の考案によれば、第１の考案の効果に加え、延出板の基板側に、第二外側板側へ張り出すとともに第二外側板に当接又は近接する第２突出板を形成するため、第２突出板が延出板の第二外側板側への位置移動を規制するとともに、延出板が第二内側板の第二外側板側への位置移動を規制するため、変形が生じにくい。さらに延出板と第二内側板とが重なった状態で第二内側板の位置移動を規制するため、第二内側板が延出板によって補強され、変形が生じにくい。【００１７】  第３の考案によれば、第１、第２の考案の効果に加え、第二内側板の基板側に、基板の中央側へ張り出して基板に重なる重合板を形成し、重合板又は重合板と第二内側板との境界から第二内側板に膨出する舌状切線によって第二内側板を切り込んで第１突出板を形成するため、重合板を基板に重ねる作業と連動して、舌状切線の内側領域が第二外側板側へ張り出し、極めて容易に第１突出板を形成することができる。【００１８】  第４の考案によれば、第１から第３の考案の効果に加え、第１突出板が第二外側板に当接又は近接し、第二内側板の第二外側板側への位置移動を規制するため、変形が生じにくい。【００１９】  第５の考案によれば、第２から第４の考案の効果に加え、延出板の基板側に、基板の中央側へ張り出して基板に重なる重合板を形成し、重合板又は重合板と延出板との境界から延出板に膨出する舌状切線によって延出板を切り込んで第２突出板を形成するため、重合板を基板に重ねる作業と連動して、舌状切線の内側領域が第二外側板側へ張り出し、極めて容易に第２突出板を形成することができる。【００２０】  第６の考案によれば、第５の考案の効果に加え、第２突出板を形成することにより延出板に形成される切り込み孔が嵌合部を形成するため、極めて容易に第２突出板とともに嵌合部を形成することができる。
【図面の簡単な説明】
【００２１】
【図１】本考案の第一実施形態に係る包装用箱１１の斜視図。
【図２】本考案の第一実施形態に係る包装用箱１１の展開体１の平面図。
【図３】本考案の第一実施形態に係る包装用箱１１の組み立てを示す斜視図。
【図４】本考案の第一実施形態に係る包装用箱１１の部分拡大斜視図。
【図５】本考案の第一実施形態に係る包装用箱１１の部分拡大平面図。
【図６】本考案の第二実施形態に係る包装用箱１１１の展開体２の部分平面図。
【図７】本考案の第二実施形態に係る包装用箱１１１の組み立てを示す部分斜視図。
【図８】本考案の第三実施形態に係る包装用箱２１１の展開体３の部分平面図。
【図９】本考案の第三実施形態に係る包装用箱２１１の組み立てを示す部分斜視図。
【図１０】本考案の第四実施形態に係る包装用箱３１１の展開体４の部分平面図。
【図１１】本考案の第四実施形態に係る包装用箱３１１の組み立てを示す部分斜視図。
【図１２】従来技術の包装用箱４１１の展開体５の平面図。
【図１３】従来技術の包装用箱４１１の組み立てを示す斜視図。
【図１４】従来技術の包装用箱４１１であって、（ａ）は部分拡大平面図。（ｂ）は変形が生じた状態の簡略図。
【考案を実施するための形態】
【００２２】  次に、本考案の実施の形態について図１〜図１１を用いて説明する。
【００２３】  以下の説明では説明の便宜上、基板１２に第一側板部１４を備える側を左右側とし、基板１２に第二側板部１５を備える側を前後側として説明する。また、組み立てが完成した状態において第一額縁板２２、第二額縁板４２によって開口部を形成する側を上側（開口部側）、基板１２を有する側を下側（基板１２側）として説明する。
【００２４】  なお、以下に説明する本考案の第一実施形態から第四実施形態に係る包装用箱１１、１１１、２１１、３１１は、板紙を用いて作成されるものであるが、段ボールやプラスチックシートなどの折り曲げ自在な他の板状部材で形成することもできる。
【００２５】  ［第一実施形態］
本考案の第一実施形態に係る包装用箱１１について、図１から図５を用いて説明する。
【００２６】  本実施形態の包装用箱１１は、図２に示す展開体１を組み立てて、図１の示す組み立て完成状態とする。組み立てが完成した包装用箱１１は、四角形の基板１２の左右側に第一側板部１４、前後側に第二側板部１５が起立し、延出板２７を第二空間部４７に配置して、第一側板部１４と第二側板部１５とを連結するものである。包装用箱１１は、トレーや蓋体、身箱等、包装用箱として様々な態様で用いられる。
【００２７】  包装用箱１１は図２に示す展開体１の状態で保管され、必要に応じて組み立てて使用されるが、基板１２と左右側の重合板２４とを予め貼着しておいてもよい。
【００２８】  まず、包装用箱１１の構成について、図２に示す展開体１に従って説明する。
なお、図２に示す展開体１は、箱内面側を紙面手前側として示している。
【００２９】  展開体１は、基板１２の左右側に第一側板部１４を備える。第一側板部１４は、主に第一外側板２１、第一額縁板２２、第一内側板２３及び延出板２７によって構成される部分である。本実施形態においては、第一内側板２３の左右側に重合板２４を備える。
【００３０】  具体的には、基板１２の左右側の端部に折線６１を介して第一外側板２１を連設している。第一外側板２１の左右側の端部には、折線６２を介して第一額縁板２２を連設している。第一額縁板２２の前後側の端部は、切線６３が後述する延出板２７を切り込んで支持部２５を形成している。支持部２５は、組み立て完成状態において、後述する第二額縁板４２を支持する部分である。第一額縁板２２の左右側の縁部には、折線６４を介して第一内側板２３を連設している。第一内側板２３の左右側の端部には、折線６５、切線６６を介して重合板２４を連設している。重合板２４は、組み立て完成状態において、第一内側板２３の下側（基板１２側）から基板１２の中央方向へ張り出して、基板１２に重なる部分である。切線６６は、第一内側板２３を切り込んで、保持部２６を形成している。保持部２６は、組み立て完成状態において、後述する重合板４４の左右側の端部を嵌める部分である。
【００３１】  また、第一内側板２３の前後側の端部（側辺部）には折線６７、切線６８を介して延出板２７を連設している。延出板２７は、組み立て完成状態において、後述する第二空間部４７に配置する部分である。また、切線６８は、組み立て完成状態において、保持部３１を形成する。保持部３１は、後述する突部４６を嵌める部分である。
延出板２７の左右側の端部には、折線６９及び舌状切線７０を介して重合板２８を連設している。折線６９は、延出板２７と重合板２８との境界に形成している。舌状切線７０は折線６９から延出板２７に膨出している。重合板２８は、組み立て完成状態において、延出板２７の下側（基板１２側）から基板１２の中央方向に張り出して、基板１２に重ねる部分である。
舌状切線７０は、第２突出板２９を形成する。第２突出板２９は組み立て完成状態において延出板２７の下側（基板１２側）から後述する第二外側板４１側に張り出す部分であり、第２突出板２９の自由端縁２９ａが第二外側板４１に当接する長さに形成している。また、舌状切線７０は、上記の如く第２突出板２９を形成するとともに延出板２７に嵌合部３０を形成する。嵌合部３０は、組み立て完成状態において、後述する第１突出板４５を嵌める部分である。
【００３２】  また、展開体１は、基板１２の前後側に第二側板部１５を備える。第一側板部１５は、主に第二外側板４１、第二額縁板４２、第二内側板４３によって構成される部分である。本実施形態においては、第二内側板４３の前後側に重合板４４を備える。
【００３３】  具体的には、基板１２の前後側の端部には、折線７１を介して第二外側板４１を連設している。第二外側板４１の前後側の端部には、折線７２を介して第二額縁板４２を連設している。第二額縁板４２の前後側の端部には、折線７３を介して第二内側板４３を連設している。第二内側板４３の前後側の端部には、折線７４及び舌状切線７５を介して重合板４４を連設している。折線７４は、第二内側板４３と重合板４４との境界に形成している。舌状切線７５は折線７４から第二内側板４３に膨出している。重合板４４は、組み立て完成状態において、第二内側板４３の下側（基板１２側）から基板１２の中央方向へ張り出して、基板１２に重なる部分である。
舌状切線７５は第１突出板４５を形成する。第１突出板４５は、組み立て完成状態において第二外側板４１の方向へ張り出して嵌合部３０に嵌める部分であって、本実施形態の第１突出板４５は第二外側板４１に当接又は近接しない長さに形成している。
第二内側板４３の左右側の端部（側辺部）には、突部４６を形成している。突部４６は、組み立て完成状態において前述の保持部３１に嵌める部分である。
【００３４】  また、展開体１は、第一外側板２１と第二外側板４１との間に折線７６、７７を介して折込板５１を備える。折込板５１には、基板１２の隅部を始点として折込板５１を略二等分する折線７８を形成している。折込板５１は、組み立て完成状態において、第一外側板２１と第二外側板４１とを連結する部分である。
【００３５】  次に、包装用箱１１の組み立てについて、図３から図５に従って説明する。
包装用箱１１は、図３（ａ）（ｂ）に示すように、第一側板部１４、第二側板部１５を基板１２に対して起立し、延出板２７、折込板５１を第二空間部４７に配置し、重合板２８を基板１２の中央方向へ張り出すとともに第２突出板２９を第二外側板４１側に張り出し、同時に嵌合部３０を形成し、重合板２４、４４を基板１２の中央方向へ張り出して基板１２に重ねるとともに第１突出板４５を第二外側板４１側へ張り出し、第１突出板４５を嵌合部３０に嵌め、突部４６を保持部３１に嵌め、重合板４４の左右側の端部を保持部２６に嵌めて組み立てることで完成する。
【００３６】  具体的には、まず、基板１２と第一外側板２１との間の折線６１を折り曲げて、第一外側板２１と、これに連続する第一額縁板２２、第一内側板２３、重合板２４を基板１２に対して起立するとともに第二外側板４１と折込板５１との間の折線７７を折り曲げて、折込板５１を第二外側板４１に対して起立する。次に、第一外側板２１と第一額縁板２２との間の折線６２、第一額縁板２２と第一内側板２３との間の折線６４を折り曲げ、第一額縁板２２を介して第一内側板２３を第一外側板２１と対向する位置に起立する。この状態において、第一外側板２１と第一内側板２３との間に第一空間部を形成する。また、第一額縁板２２の前後側の端部は、切線６３が支持部２５を形成する。
次に、重合板２４が基板１２の中央側へ張り出すように第一内側板２３と重合板２４との間の折線６５を折り曲げて基板１２に重ねる。このとき、切線６６が第二内側板２３の前後側の端部を切り込んで、保持部２６を形成する。
【００３７】  続いて、基板１２と第二外側板４１との間の折線７１を折り曲げて、第二外側板４１と、これに連続する第二額縁板４２、第二内側板４３、重合板４４を基板１２に対して起立するとともに、第一外側板２１と折込板５１との間の折線７６、折込板５１を略二等分する折線７８を折り曲げ、折線７８を介して折込板５１の表面同士を重ね合わせて箱内側に配置する。次に、第一内側板２３の前後側（側辺部）の折線６７を折り曲げて、延出板２７を第二外側板４１側へ沿わせる。この状態において、重合板２８は下側（基板１２側）に配置される。そして、延出板２７と重合板２８との間の折線６９を折り曲げて、重合板２８が基板１２の中央側へ張り出すように基板１２に重ねる。このとき、図４（ａ）に示すように、折線６９から延出板２７に膨出する舌状切線７０が形成する第２突出板２９は、重合板２８とは反対方向に遊離し、第二外側板４１側へ張り出して基板１２に重なる。第２突出板２９の自由端縁２９ａは第二外側板４１に当接して延出板２７の第二外側板４１側への位置移動を規制する。また、第２突出板２９が第二外側板４１側に張り出して基板１２に重なった状態において、延出板２７には切線７０によって切り込み孔が形成され、この切り込み孔が嵌合部３０を形成する。
なお、本実施形態では、第２突出板２９は、延出板２７と重合板２８の境界にある折線６９から延出板２７に膨出する舌状切線７０によって形成しているが、重合板２８から延出板２７に膨出する舌状切線によって形成してもよい。
【００３８】  次に、第二外側板４１と第二額縁板４２との間の折線７２、第二額縁板４２と第二内側板４３との間の折線７３を折り曲げて、第二額縁板４２を介して第二内側板４３を基板１２に対して起立する。この状態において、第二外側板４１と第二内側板４３との間に第二空間部４７を形成する。
続いて、第二内側板４３と重合板４４との間の折線７４を折り曲げて、重合板４４が基板１２の中央側へ張り出すように基板１２に重ねる。このとき、図４（ａ）（ｂ）に示すように、折線７４から第二内側板４３に膨出する舌状切線７５が形成する第１突出板４５は、重合板４４とは反対方向に遊離し、第二外側板４１側へ張り出して、嵌合部３０に嵌まる。
本実施形態では、第１突出板４５は自由端縁４５ａが第二外側板４１に当接又は近接しない長さに形成している。この場合、第二内側板４３が舌状切線７５によって切り込まれる領域が小さくなり、第二内側板４３の変形が生じにくく、外観体裁に優れる。第二内側板４３は第２突出板２９によって位置移動が規制された延出板２７によって第二外側板４１側への位置移動が規制される。
なお、第１突出板４５を第二外側板４１と当接又は近接する長さに形成してもよく、この場合、第二内側板４３は第２突出板２９によって位置移動が規制された延出板２７と第１突出板４５とによって第二外側板４１側への位置移動が規制される。
また、本実施形態では、第１突出板４５は、第二内側板４３と重合板４４の境界に形成する折線７４から第二内側板４３に膨出する舌状切線７５によって形成しているが、重合板４４から第二内側板４３に膨出する舌状切線によって形成してもよい。
続いて、第二内側板４３の左右側の端部に形成する突部４６を保持部３１に嵌め、重合板４４の左右側の端部を保持部２６に嵌めれば、包装用箱１１の組み立てが完成する。
【００３９】  図５は、組み立てが完成した包装用箱１１の第１突出板４５と第２突出板２９付近を切り欠いた部分平面図であり、第１突出板４５が嵌合部３０に嵌まり、第一内側板２３と第二内側板４３とを延出板２７を介して嵌合部３０で連結して互いの位置移動を規制している。また、第２突出板２９の自由端縁２９ａが第二外側板４１に当接して延出板２７の第二外側板４１側への位置移動を規制するとともに延出板２７が第二内側板４３の第二外側板４１側への位置移動を規制している。さらに、延出板２７が第二内側板４３と重なった状態で第二内側板４３の位置移動を規制し、第二内側板４３が延出板２７によって補強されている。
【００４０】  上記の説明のように、本実施形態の包装用箱１１は、多角形の基板１２と側板部１３とを備える包装用箱１１であって、側板部１３は、第一内側板２３、第一外側板２１、第一額縁板２２及び第一内側板２３の側辺部から連続する延出板２７を有し、第一内側板２３と第一外側板２１とが第一額縁板２２を介して対向し基板１２に対して起立するとともに第一空間部を形成する第一側板部１４と、第一側板部１４に隣接し、第二内側板４３、第二外側板４１及び第二額縁板２２を有し、第二内側板４３と第二外側板４１とが第二額縁板４２を介して対向し基板１２に対して起立するとともに第二空間部４７を形成する第二側板部１５とを備え、延出板２７を第二空間部４７に配置して第一側板部１４と第二側板部１５とを連結し、第二内側板４３の基板１２側に、第二外側板４１側へ張り出す第１突出板４５を形成し、延出板２７に、第１突出板４５を嵌める嵌合部３０を形成する。
【００４１】  このため、第一内側板２３と第二内側板４３とを延出板２７を介して嵌合部３０で固定して互いの位置移動を規制し、変形が生じにくい。また、包装用箱１１本体とは別の部材を必要とせず、ブランクの構成が簡単であるため、生産及び組み立て作業が容易である。
【００４２】  また、本実施形態の包装用箱１１は、延出板２７の基板１２側に、第二外側板４１側へ張り出すとともに第二外側板４１に当接する第２突出板２９を形成する。
【００４３】  このため、第２突出板２９が延出板２７の第二外側板４１側への位置移動を規制するとともに、延出板２７が第二内側板４３の第二外側板４１側への位置移動を規制するため、変形が生じにくい。さらに延出板２７と第二内側板４３とが重なった状態で第二内側板４３の位置移動を規制するため、第二内側板４３が延出板２７によって補強され、変形が生じにくい。
【００４４】  また、本実施形態の包装用箱１１は、第二内側板４３の基板１２側に、基板１２の中央側へ張り出して基板１２に重なる重合板４４を形成し、重合板４４と第二内側板４３との境界から第二内側板４３に膨出する舌状切線７５によって第二内側板４３を切り込み、舌状切線７５の内側領域を第二外側板４１側へ張り出して、第１突出板４５を形成する。
【００４５】  このため、重合板４４を基板１２に重ねる作業と連動して、舌状切線７５の内側領域が第二外側板４１側へ張り出し、極めて容易に第１突出板４５を形成することができる。
【００４６】  また、本実施形態の包装用箱１１は、延出板２７の基板１２側に、基板１２の中央側へ張り出して基板１２に重なる重合板２８を形成し、重合板２８と延出板２７との境界から延出板２７に膨出する舌状切線７０によって延出板２７を切り込み、舌状切線７０の内側領域を第二外側板４１側へ張り出して、第２突出板２９を形成する。
【００４７】  このため、重合板２８を基板１２に重ねる作業と連動して、舌状切線７０の内側領域が第二外側板４１側へ張り出し、極めて容易に第２突出板２９を形成することができる
【００４８】  また、本実施形態の包装用箱１１は、第２突出板２９を形成することにより延出板２７に形成される切り込み孔が、嵌合部３０を形成する。
【００４９】  このため、極めて容易に第２突出板２９とともに嵌合部３０を形成することができる。
【００５０】［第二実施形態］
本考案の第二実施形態に係る包装用箱１１１について、図６、図７を用いて説明する。本実施形態において、第一実施形態と同様の構成については説明を省略し、異なる部分を中心に説明する。
【００５１】  第二実施形態の包装用箱１１１は、図６、図７に示すように、延出板２７に第２突出板２９を設けていない点が第一実施形態と異なる。また、嵌合部１３０を切線１７０で切り欠いて延出板２７の下側（基板１２側）に形成している点、及び第１突出板１４５を切線１７５によって自由端縁１４５ａが第二外側板４１に当接する長さに形成している点が第一実施形態と異なる。
【００５２】  包装用箱１１１の組み立ては、図７（ａ）（ｂ）に示すように、第一側板部１４、第二側板部１５を基板１２に対して起立するとともに延出板２７、折込板５１を第二空間部４７に配置し、重合板２４、４４を基板１２の中央方向へ張り出して基板１２に重ねるとともに第１突出板１４５を第二外側板４１側へ張り出し、第１突出板１４５を嵌合部１３０に嵌め、突部４６を保持部３１に嵌め、重合板４４の左右側の端部を保持部２６に嵌めて組み立てることで完成する。
【００５３】  本実施形態の包装用箱１１１は、第二内側板４３の基板１２側に、第二外側板４１側へ張り出す第１突出板１４５を形成し、延出板２７に、第１突出板１４５を嵌める嵌合部１３０を形成する。
【００５４】  このため、第一内側板２３と第二内側板４３とを延出板２７を介して嵌合部１３０で固定して互いの位置移動を規制し、変形が生じにくい。また、包装用箱１１１本体とは別の部材を必要とせず、ブランクの構成が簡単であるため、生産及び組み立て作業が容易である。
【００５５】  また、本実施形態の包装用箱１１１は、第二内側板４３の基板１２側に、基板１２の中央側へ張り出して基板１２に重なる重合板４４を形成し、重合板４４と第二内側板４３との境界から第二内側板４３に膨出する舌状切線１７５によって第二内側板４３を切り込み、舌状切線１７５の内側領域を第二外側板４１側へ張り出して、第１突出板１４５を形成する。
【００５６】  このため、重合板４４を基板１２に重ねる作業と連動して、舌状切線１７５の内側領域が第二外側板４１側へ張り出し、極めて容易に第１突出板１４５を形成することができる。
【００５７】  また、本実施形態の包装用箱１１１は、第１突出板１４５が第二外側板４１に当接する。
【００５８】  このため、第二内側板４３の第二外側板４１側への位置移動が規制され、変形が生じにくい。
【００５９】  ［第三実施形態］
本考案の第三実施形態に係る包装用箱２１１について、図８、図９を用いて説明する。本実施形態について、第一実施形態と同様の構成については説明を省略し、異なる部分を中心に説明する。
【００６０】  第三実施形態の包装用箱２１１は、図８、図９に示すように、第一実施形態の態様に加えて、舌状切線２７５によって第二内側板４３の下側（基板１２側）に第１突出板２４５を形成し、延出板２７を切線２７０で切り欠いて嵌合部２３０を形成し、第１突出板２４５を嵌合部２３０に嵌める点が第一実施形態と異なる。なお、本実施形態では、第１突出板２４５の自由端縁２４５ａは第二外側板４１と当接する長さに形成している。
【００６１】  包装用箱２１１は、図９（ａ）（ｂ）に示すように、第一側板部１４、第二側板部１５を基板１２に対して起立するとともに延出板２７、折込板５１を第二空間部４７に配置し、重合板２８を基板１２の中央方向へ張り出すとともに第２突出板２９を第二外側板４１側に張り出し、重合板２４、４４を基板１２の中央方向へ張り出して基板１２に重ねるとともに第１突出板４５、２４５を第二外側板４１側へ張り出し、第１突出板４５を嵌合部３０に嵌め、第１突出板２４５を嵌合部２３０に嵌め、突部４６を保持部３１に嵌め、重合板４４の左右側の端部を保持部２６に嵌めて組み立てることで完成する。
【００６２】  本実施形態の包装用箱２１１は、第二内側板４３の基板１２側に、第二外側板４１側へ張り出す第１突出板４５、２４５を形成し、延出板２７に、第１突出板４５、２４５を嵌める嵌合部３０、２３０を形成する。
【００６３】  このため、第一内側板２３と第二内側板４３とを延出板２７を介して嵌合部３０、２３０で固定して互いの位置移動を規制し、変形が生じにくい。また、包装用箱２１１本体とは別の部材を必要とせず、ブランクの構成が簡単であるため、生産及び組み立て作業が容易である。
【００６４】  また、本実施形態の包装用箱２１１は、延出板２７の基板１２側に、第二外側板４１側へ張り出すとともに第二外側板４１に当接する第２突出板２９を形成する。
【００６５】  このため、第２突出板２９が延出板２７の第二外側板４１側への位置移動を規制するとともに、延出板２７が第二内側板４３の第二外側板４１側への位置移動を規制するため、変形が生じにくい。さらに延出板２７と第二内側板４３とが重なった状態で第二内側板４３の位置移動を規制するため、第二内側板４３が延出板２７によって補強され、変形が生じにくい。
【００６６】  また、本実施形態の包装用箱２１１は、第二内側板４３の基板１２側に、基板１２の中央側へ張り出して基板１２に重なる重合板４４を形成し、重合板４４と第二内側板４３との境界から第二内側板４３に膨出する舌状切線７５、２７５によって第二内側板４３を切り込み、舌状切線７５、２７５の内側領域を第二外側板４１側へ張り出して、第１突出板４５、２４５を形成する。
【００６７】  このため、重合板４４を基板１２に重ねる作業と連動して、舌状切線７５、２７５の内側領域が第二外側板４１側へ張り出し、極めて容易に第１突出板４５、２４５を形成することができる。
【００６８】  また、本実施形態の包装用箱２１１は、第１突出板２４５が第二外側板４１に当接する。
【００６９】  このため、第二内側板４３の第二外側板４１側への位置移動が規制され、変形が生じにくい。
【００７０】  また、本実施形態の包装用箱２１１は、延出板２７の基板１２側に、基板１２の中央側へ張り出して基板１２に重なる重合板２８を形成し、重合板２８と延出板２７との境界から延出板２７に膨出する舌状切線７０によって延出板２７を切り込み、舌状切線７０の内側領域を第二外側板４１側へ張り出して、第２突出板２９を形成する。
【００７１】  このため、重合板２８を基板１２に重ねる作業と連動して、舌状切線７０の内側領域が第二外側板４１側へ張り出し、極めて容易に第２突出板２９を形成することができる。
【００７２】  また、本実施形態の包装用箱２１１は、第２突出板２９を形成することにより延出板２７に形成される切り込み孔が、嵌合部３０を形成する。
【００７３】  このため、極めて容易に第２突出板２９とともに嵌合部３０を形成することができる。
［第四実施形態］
本考案の第四実施形態に係る包装用箱３１１について、図１０、図１１を用いて説明する。本実施形態について、第一実施形態と同様の構成については説明を省略し、異なる部分を中心として説明する。
【００７４】  第四実施形態の包装用箱３１１は、図１０、図１１に示すように、重合板２４、４４を備えず、第２突出板３２９を延出板２７の下側（基板１２側）に形成している点、及び第１突出板３４５を第二内側板４３の基板１２側に形成し、延出板２７を切線３７０で切り欠いて嵌合部３３０を形成し、第１突出板３４５を嵌合部３３０に嵌める点が第一実施形態と異なる。なお、本実施形態では、第１突出板３４５は自由端縁３４５ａが第二外側板４１と当接する長さに形成している。
【００７５】  包装用箱３１１は、図１１（ａ）（ｂ）に示すように、第一側板部１４、第二側板部１５を基板１２に対して起立し、延出板２７、折込板５１を第二空間部４７に配置し、折線７９を折り曲げて第２突出板３２９を第二外側板４１側に張り出し、折線８０を折り曲げて第１突出板３４５を第二外側板４１側へ張り出し、第１突出板３４５を嵌合部３３０に嵌め、突部４６を保持部３１に嵌めて組み立てることで完成する。
【００７６】  本実施形態の包装用箱３１１は、第二内側板４３の基板１２側に、第二外側板４１側へ張り出す第１突出板３４５を形成し、延出板２７に、第１突出板３４５を嵌める嵌合部３３０を形成する。
【００７７】  このため、第一内側板２３と第二内側板４３とを延出板２７を介して嵌合部３３０で固定して互いの位置移動を規制し、変形が生じにくい。また、包装用箱３１１本体とは別の部材を必要とせず、ブランクの構成が簡単であるため、生産及び組み立て作業が容易である。
【００７８】  また、本実施形態の包装用箱３１１は、延出板２７の基板１２側に、第二外側板４１側へ張り出すとともに第二外側板４１に当接する第２突出板３２９を形成する。
【００７９】  このため、第２突出板３２９が延出板２７の第二外側板４１側への位置移動を規制するとともに、延出板２７が第二内側板４３の第二外側板４１側への位置移動を規制するため、変形が生じにくい。さらに延出板２７と第二内側板４３とが重なった状態で第二内側板４３の位置移動を規制するため、第二内側板４３が延出板２７によって補強され、変形が生じにくい。
【００８０】  また、本実施形態の包装用箱３１１は、第１突出板３４５が第二外側板４１に当接する。
【００８１】  このため、第二内側板４３の第二外側板４１側への位置移動が規制され、変形が生じにくい。
【００８２】  以上、本考案の実施形態について説明したが、本考案の技術的範囲は上記実施形態に限定するものではなく、本考案の技術的思想が及ぶ範囲において変更された実施形態に及ぶ。例えば、第１突出板、第２突出板を形成する数は適宜変更が可能である。また、嵌合部は切り込み孔、切欠孔、スリット等によって形成可能であり、その形成方法が限定されるものではない。
【符号の説明】
【００８３】１、２、３、４、５  展開体
１１、１１１、２１１、３１１、４１１  包装用箱
１２        基板
１３        側板部
１４        第一側板部
１５        第二側板部
２１        第一外側板
２２        第一額縁板
２３        第一内側板
２４、２８、４４  重合板
２５        支持部
２６、３１  保持部
２７        延出板
４１        第二外側板
４２        第二額縁板
４３        第二内側板
７０、７５、１７５、２７５  舌状切線
２９、３２９  第２突出板
３０、１３０、２３０、３３０  嵌合部
４５、１４５、２４５、３４５  第１突出板
４６        突部
４７        第二空間部
５１        折込板
【図１】
0003186895.tif 000003
【図２】
0003186895.tif 000004
【図３】
0003186895.tif 000005
【図４】
0003186895.tif 000006
【図５】
0003186895.tif 000007
【図６】
0003186895.tif 000008
【図７】
0003186895.tif 000009
【図８】
0003186895.tif 000010
【図９】
0003186895.tif 000011
【図１０】
0003186895.tif 000012
【図１１】
0003186895.tif 000013
【図１２】
0003186895.tif 000014
【図１３】
0003186895.tif 000015
【図１４】
0003186895.tif 000016